(57)【要約】【課題】画像表示部へのストレスを軽減することができる表示装置を提供する。【解決手段】表示装置は、画像を表示する画像表示部１０と、画像表示部１０から離間して設けられたシャーシ２０と、シャーシ２０に固定された光源と、シャーシ２０に取り付けられ、画像表示部１０を支持する支持ピン３０と、支持ピン３０に加わる負荷を緩和する緩和部ＲＰとを備える。緩和部ＲＰは、支持ピン３０とは異なる素材で形成され、弾性を有する。【選択図】図４
2020030341.tif 000002
【特許請求の範囲】
【請求項１】
画像を表示する画像表示部と、
前記画像表示部から離間して設けられたシャーシと、
前記シャーシに固定された光源と、
前記シャーシに取り付けられ、前記画像表示部を支持する支持ピンとを備えた表示装置であって、
前記支持ピンに加わる負荷を緩和する緩和部を備え、
前記緩和部は、前記支持ピンとは異なる素材で形成され、弾性を有すること
を特徴とする表示装置。
【請求項２】
請求項１に記載の表示装置であって、
前記緩和部は、前記支持ピンのうち、前記画像表示部に面する側の先端に設けられていること
を特徴とする表示装置。
【請求項３】
請求項２に記載の表示装置であって、
前記緩和部は、前記支持ピンの先端を覆うゴムキャップであること
を特徴とする表示装置。
【請求項４】
請求項３に記載の表示装置であって、
前記緩和部は、前記支持ピンの先端との間に、隙間を設けた状態で覆うこと
を特徴とする表示装置。
【請求項５】
請求項２に記載の表示装置であって、
前記緩和部は、前記支持ピンの先端から繋がって形成されていること
を特徴とする表示装置。
【請求項６】
請求項１に記載の表示装置であって、
前記緩和部は、バネであって、
前記支持ピンは、前記緩和部を介して前記シャーシに取り付けられていること
を特徴とする表示装置。
【発明の詳細な説明】
【技術分野】
【０００１】
本発明は、画像表示部から離間して設けられたシャーシを有する表示装置に関する。
【背景技術】
【０００２】
近年、液晶パネルを用いた表示装置では、高輝度を得るため、バックライト（光源）を液晶パネルの直下に設けた構造とされている。このような表示装置では、各種の光学部材を用いて液晶パネルに適した面光源を構成している。また、液晶パネルの下部には拡散板が設けられており、光源と拡散板との間の距離を一定に保つように、スペーサーピンで支持した構造とされている（例えば、特許文献１参照）。
【先行技術文献】
【特許文献】
【０００３】
【特許文献１】特開２００９−２７２１９９号公報
【発明の概要】
【発明が解決しようとする課題】
【０００４】
特許文献１に記載の液晶表示装置では、合成樹脂で形成され、拡散板を支持するスペーサーピンを備え、スペーサーピンは、力が加わると形状が弾力的に変形して、ストレスを軽減する。上述した液晶表示装置では、スペーサーピン自体を弾力的に変形させるため、スペーサーピンの構造が複雑になり、影や輝度ムラを生じさせる要因となっていた。
【０００５】
本発明は、上記の課題を解決するためになされたものであり、支持ピンの構造を変えることなく、画像表示部へのストレスを軽減することができる表示装置を提供することを目的とする。
【課題を解決するための手段】
【０００６】
本発明に係る表示装置は、画像を表示する画像表示部と、前記画像表示部から離間して設けられたシャーシと、前記シャーシに固定された光源と、前記シャーシに取り付けられ、前記画像表示部を支持する支持ピンとを備えた表示装置であって、前記支持ピンに加わる負荷を緩和する緩和部を備え、前記緩和部は、前記支持ピンとは異なる素材で形成され、弾性を有することを特徴とする。
【０００７】
本発明に係る表示装置では、前記緩和部は、前記支持ピンのうち、前記画像表示部に面する側の先端に設けられている構成としてもよい。
【０００８】
本発明に係る表示装置では、前記緩和部は、前記支持ピンの先端を覆うゴムキャップである構成としてもよい。
【０００９】
本発明に係る表示装置では、前記緩和部は、前記支持ピンの先端との間に、隙間を設けた状態で覆う構成としてもよい。
【００１０】
本発明に係る表示装置では、前記緩和部は、前記支持ピンの先端から繋がって形成されている構成としてもよい。
【００１１】
本発明に係る表示装置では、前記緩和部は、バネであって、前記支持ピンは、前記緩和部を介して前記シャーシに取り付けられている構成としてもよい。
【発明の効果】
【００１２】
本発明によると、緩和部を設けることで、支持ピンの構造を変えることなく、画像表示部へのストレスを軽減することができる。また、支持ピンが簡素な構造とされているが、異なる素材で形成された緩和部で弾性を容易に調整することができる。
【図面の簡単な説明】
【００１３】
【図１】本発明の第１実施形態に係る表示装置の模式構成図である。
【図２Ａ】液晶パネルを拡大して示す拡大側面図である。
【図２Ｂ】位置ズレした液晶パネルを拡大して示す拡大側面図である。
【図３】画像表示部の画素を拡大して示す拡大説明図である。
【図４】本発明の第１実施形態に係る表示装置の支持ピン近傍を拡大して示す模式側面図である。
【図５】本発明の第２実施形態に係る表示装置の支持ピン近傍を拡大して示す模式側面図である。
【図６】互いに異なる形状とされた凹部および凸部の変形例を示す説明図である。
【図７Ａ】本発明の第３実施形態に係る表示装置の支持ピン近傍を拡大して示す模式側面図である。
【図７Ｂ】図７Ａの支持ピンからゴムキャップを取り外した状態を示す模式側面図である。
【図８Ａ】本発明の第４実施形態に係る表示装置の支持ピン近傍を拡大して示す模式側面図である。
【図８Ｂ】図８Ａの支持ピンが押圧されている状態を示す模式側面図である。
【発明を実施するための形態】
【００１４】
（第１実施形態）
以下、本発明の第１実施形態に係る表示装置について、図面を参照して説明する。
【００１５】
図１は、本発明の第１実施形態に係る表示装置の模式構成図である。
【００１６】
本発明の第１実施形態に係る表示装置１は、画像表示部１０、シャーシ２０、支持ピン３０、および光源４０を備えている。
【００１７】
画像表示部１０は、液晶パネル１１と拡散板１２とで構成されている。液晶パネル１１は、並べて配置された複数の画素を有しており、印加する電圧を制御することで、表示する画像を形成する。拡散板１２は、照射された光を拡散し、液晶パネル１１に均一に光が当たるようにする。液晶パネル１１と拡散板１２とが重なっている状態については、後述する図２Ａおよび図２Ｂを参照して、詳細に説明する。
【００１８】
シャーシ２０は、画像表示部１０から離間して設けられており、画像表示部１０のうち、拡散板１２の側を覆っている。なお、以下では説明のため、画像表示部１０の表面に対して、シャーシ２０が対向している方向を、離間方向Ｚと呼び、離間方向Ｚのうち、画像表示部１０の側を上方と呼び、シャーシ２０の側を下方と呼ぶことがある。
【００１９】
支持ピン３０は、シャーシ２０に取り付けられ、画像表示部１０を支持する。具体的に、シャーシ２０には、画像表示部１０に向かって立設するように、複数の支持ピン３０が取り付けられている。支持ピン３０を設ける数や配置については、画像表示部１０のサイズに応じて適宜調整すればよく、シャーシ２０と拡散板１２との間隔を維持するように設けられていればよい。支持ピン３０の詳細な構造については、後述する図４を参照して、詳細に説明する。
【００２０】
光源４０は、シャーシ２０に固定され、シャーシ２０と拡散板１２との間に設けられている。なお、図１では、シャーシ２０から離間して光源４０が設けられている状態を示しているが、これに限定されず、光源４０は、シャーシ２０に接して設けられていてもよく、支持ピン３０とシャーシ２０との間に挟んで固定してもよい。
【００２１】
図２Ａは、液晶パネルを拡大して示す拡大側面図である。
【００２２】
液晶パネル１１は、ＣＦ（カラーフィルタ）ガラス１１ａとＴＦＴガラス１１ｂとが張り合わせられた構造を有しており、図２Ａは、液晶パネル１１のうち、ＣＦガラス１１ａとＴＦＴガラス１１ｂとで位置合わせしている部分を拡大して示している。ＣＦガラス１１ａには、ＴＦＴガラス１１ｂに面する側に、周囲より突出したスペーサ１１ｃが設けられている。また、ＴＦＴガラス１１ｂには、ＣＦガラス１１ａに面する側に、周囲より突出した台座１１ｄが設けられている。ＣＦガラス１１ａとＴＦＴガラス１１ｂとが正常に重なっている状態では、スペーサ１１ｃが台座１１ｄに当接しており、ＣＦガラス１１ａとＴＦＴガラス１１ｂとが所定の間隔を維持している。
【００２３】
図２Ｂは、位置ズレした液晶パネルを拡大して示す拡大側面図である。
【００２４】
図２Ｂでは、図２Ａに示す状態から、ＣＦガラス１１ａがＴＦＴガラス１１ｂに対して、矢符Ａの方向へずれた状態を示している。ＣＦガラス１１ａとＴＦＴガラス１１ｂとの位置がずれることで、台座１１ｄによるスペーサ１１ｃの保持が解除される。
【００２５】
画像表示部１０では、シャーシ２０の反り具合や、温度変化による歪みなどを受けて撓みが生じることがある。このような応力によって、図２Ｂに示すように、ＣＦガラス１１ａとＴＦＴガラス１１ｂとの位置ズレが生じることがある。次に、位置ズレが生じた場合の画像に与える影響について説明する。
【００２６】
図３は、画像表示部の画素を拡大して示す拡大説明図である。
【００２７】
上述したように、画像表示部１０では、複数の画素ＧＳが並べて配置されて設けられている。それぞれの画素ＧＳに対しては、ＣＦガラス１１ａとＴＦＴガラス１１ｂとが正常に重なっていることを示す基準線ＫＬが設定されている。基準線ＫＬは、十字型とされており、画素ＧＳの中央に十字の交点が位置するとき、ＣＦガラス１１ａとＴＦＴガラス１１ｂとの位置関係は正常となっている。図３に示す一例では、画素ＧＳに対して基準線ＫＬの位置がずれている領域（異常領域ＥＲ）が存在しており、異常領域ＥＲでは、光量が低下するなどして、色ムラが生じる。
【００２８】
画像表示部１０での位置ズレは、「８Ｋ」などの高精細な映像を表示する際に、大きく影響を与える。つまり、「２Ｋ」や「４Ｋ」と比較して、画素ＧＳが小さく、高密度で設けられている「８Ｋ」では、僅かなズレでも、色ムラの原因となってしまう。
【００２９】
これに対し、本実施の形態では、支持ピン３０によって、応力への緩衝機能を果たすことで、画像表示部１０を最適圧で保持し、画像表示部１０に変形負荷を与えないようにしている。次に、支持ピン３０の詳細な構造について説明する。
【００３０】
図４は、本発明の第１実施形態に係る表示装置の支持ピン近傍を拡大して示す模式側面図である。
【００３１】
第１実施形態での支持ピン３０（第１ピン３０ａ）は、支持部３１、基台部３２、延伸部３３ａ、および係止部３３ｂを備えている。シャーシ２０には、支持ピン３０を取り付けるための係止穴２１が設けられている。
【００３２】
基台部３２は、シャーシ２０の係止穴２１に面しており、係止穴２１よりも径が大きく形成されている。延伸部３３ａは、係止穴２１の側壁に沿って基台部３２から下方へ延伸されており、係止穴２１に挿入されている。係止部３３ｂは、延伸部３３ａの先端に設けられ、係止穴２１の外側に突出して設けられている。係止部３３ｂは、例えば、フック状とされており、係止穴２１の外周部のシャーシ２０に引っ掛かることで、基台部３２がシャーシ２０から離間することを防いでいる。
【００３３】
支持部３１は、略円錐状とされ、シャーシ２０の側から拡散板１２の側に向かって突出した先端が細くなっている。本実施の形態において、支持部３１は、基台部３２と繋がっている根元部３１ａと、拡散板１２に面する側の先端（当接部３１ｂ）とが、異なる素材で形成されている。根元部３１ａは、例えば、ポリカーボネートなどの樹脂で形成されている。これに対し、当接部３１ｂは、例えば、エラストマー樹脂で形成され、根元部３１ａよりも柔らかく、弾性を有している。当接部３１ｂに用いるエラストマー素材は、特に限定されず、例えば、ポリウレタン系、スチレン系、およびオレフィン系など、弾性を有する素材であればよい。
【００３４】
表示装置１では、様々な要因によって、画像表示部１０とシャーシ２０とが近づくように、応力が加わることがある。この際、画像表示部１０とシャーシ２０との間に設けられた支持ピン３０では、弾性を有する当接部３１ｂが変形して、支持ピン３０に加わる負荷を緩和する緩和部ＲＰとして機能する。このように、緩和部ＲＰを設けることで、支持ピン３０の構造を変えることなく、画像表示部１０へのストレスを軽減することができる。また、支持ピン３０が簡素な構造とされているが、異なる素材で形成された緩和部ＲＰで弾性を容易に調整することができる。
【００３５】
上述したように、画像表示部１０との接触部分に緩和部ＲＰを設けることで、圧迫による擦れなどを抑制することができる。
【００３６】
本実施の形態において、緩和部ＲＰは、支持ピン３０の先端に繋がって形成されている。このように、緩和部ＲＰを支持ピン３０と一体にして形成しているので、緩和部ＲＰの脱落を避けることができる。
【００３７】
本実施の形態では、支持部３１を略円錐状としたが、これに限定されず、略円柱状としてもよく、拡散板１２に面する先端近傍だけが細くなっていてもよい。
【００３８】
（第２実施形態）
次に、本発明の第２実施形態に係る表示装置について、図面を参照して説明する。なお、第２実施形態に係る表示装置の構造については、第１実施形態と略同様であるので、同様の符号を付して説明および図面を省略する。
【００３９】
図５は、本発明の第２実施形態に係る表示装置の支持ピン近傍を拡大して示す模式側面図である。
【００４０】
第２実施形態での支持ピン３０（第２ピン３０ｂ）は、支持部３１、基台部３２、延伸部３３ａ、および係止部３３ｂを備えており、第１実施形態に対して、支持部３１の先端を覆うゴムキャップ３４が設けられている点で異なる。本実施の形態では、例えば、エラストマー樹脂で形成された支持部３１が、拡散板１２に面する程度の高さまで設けられている。ゴムキャップ３４は、当接部３１ｂと同様に、弾性を有する素材で形成され、例えば、ブチルゴム、シリコンゴム、およびエラストマー樹脂（ポリウレタン系、スチレン系、およびオレフィン系など）を適用することができる。支持ピン３０では、拡散板１２に対して、緩和部ＲＰに相当するゴムキャップ３４が当接する。本実施の形態では、緩和部ＲＰを支持ピン３０とは別にして形成するので、緩和部ＲＰの構造を自在に設計することができる。
【００４１】
支持部３１には、凹部３１ｃが設けられ、ゴムキャップ３４には、凸部３４ａが設けられている。凹部３１ｃと凸部３４ａとが嵌合することで、ゴムキャップ３４が支持部３１から脱落することを防いでいる。凹部３１ｃと凸部３４ａとは、互いが一致する形状としてもよいし、異なる形状としてもよい。次に、凹部３１ｃと凸部３４ａとで互いに異なる形状とした場合の変形例を示す。
【００４２】
図６は、互いに異なる形状とされた凹部および凸部の変形例を示す説明図である。
【００４３】
図６は、正面から見た状態の凹部３１ｃおよび凸部３４ａを模式的に示しており、ハッチングを省略している。凹部３１ｃは、円形状とされており、凸部３４ａは、十字状とされている。凸部３４ａは、十字の先端が凹部３１ｃに当接して位置決めされている。
【００４４】
（第３実施形態）
次に、本発明の第３実施形態に係る表示装置について、図面を参照して説明する。なお、第３実施形態に係る表示装置の構造については、第１実施形態および第２実施形態と略同様であるので、同様の符号を付して説明および図面を省略する。
【００４５】
図７Ａは、本発明の第３実施形態に係る表示装置の支持ピン近傍を拡大して示す模式側面図であって、図７Ｂは、図７Ａの支持ピンからゴムキャップを取り外した状態を示す模式側面図である。
【００４６】
第３実施形態での支持ピン３０（第３ピン３０ｃ）は、第２実施形態に対して、支持部３１の形状が異なっている。具体的に、第３ピン３０ｃでは、第２ピン３０ｂよりも支持部３１が短く、シャーシ２０と拡散板１２との間隔として設定した長さよりも短くなっている。ゴムキャップ３４は、支持ピン３０の先端（支持端部３１ｄ）との間に、離間方向Ｚでの隙間ＫＤを設けた状態で覆っている。ゴムキャップ３４の先端は、隙間ＫＤの分だけ、支持端部３１ｄより上方へ突出して、拡散板１２に接している。この構成では、緩和部ＲＰが圧迫されて変形した際、支持ピン３０（特に、支持部３１）との隙間によって、緩和部ＲＰの大きな変位を受け止めることができる。
【００４７】
また、第２ピン３０ｂでは、部分的に凹んだ凹部３１ｃを設けたが、第３ピン３０ｃでは、支持部３１の周方向に沿って形成した溝を凹部３１ｃとしている。凸部３４ａは、凹部３１ｃ全体に対応した形状としてもよいし、凹部３１ｃの一部と嵌合するように設けてもよい。
【００４８】
（第４実施形態）
次に、本発明の第４実施形態に係る表示装置について、図面を参照して説明する。なお、第４実施形態に係る表示装置の構造については、第１実施形態ないし第３実施形態と略同様であるので、同様の符号を付して説明および図面を省略する。
【００４９】
図８Ａは、本発明の第４実施形態に係る表示装置の支持ピン近傍を拡大して示す模式側面図である。
【００５０】
第４実施形態での支持ピン３０（第４ピン３０ｄ）は、第１実施形態に対して、延伸部３３ａの長さが異なっている。具体的に、第１ピン３０ａでは、延伸部３３ａの長さが、係止穴２１と同程度とされていたのに対し、第４ピン３０ｄでは、延伸部３３ａの長さが、係止穴２１より長くなっている。つまり、延伸部３３ａの先端に設けた係止部３３ｂが、係止穴２１の外周部のシャーシ２０に引っ掛かるようにすると、基台部３２は、シャーシ２０から離間する。基台部３２とシャーシ２０との間には、緩和部ＲＰに相当するバネ５０が設けられ、バネ５０の弾性によって、基台部３２を上方へ押し上げている。それによって、略円錐状の支持部３１は、先端が拡散板１２に接している。
【００５１】
図８Ｂは、図８Ａの支持ピンが押圧されている状態を示す模式側面図である。
【００５２】
図８Ｂは、図８Ａに示す状態に対し、拡散板１２を下方へ押し下げる力（応力Ｆ）が加わっている。支持ピン３０では、バネ５０が押し上げる力よりも強い応力Ｆが加わった際、バネ５０が縮んで基台部３２が下方（矢符Ｂの方向）へ下がる。
【００５３】
上述したように、支持ピン３０は、バネ５０（緩和部ＲＰ）を介してシャーシ２０に取り付けられており、シャーシ２０との間に設けたバネ５０によって、支持ピン３０に加わる負荷を緩和することができる。また、支持ピン３０自体は変形しないので、光学的な影響を抑制することができる。
【００５４】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００５５】
１  表示装置
１０  画像表示部
１１  液晶パネル
１２  拡散板
２０  シャーシ
２１  係止穴
３０  支持ピン
３１  支持部
３１ａ  根元部
３１ｂ  当接部（緩和部の一例）
３１ｃ  凹部
３１ｄ  支持端部
３２  基台部
３３ａ  延伸部
３３ｂ  係止部
３４  ゴムキャップ（緩和部の一例）
３４ａ  凸部
４０  光源
５０  バネ（緩和部の一例）
ＲＰ  緩和部
Ｚ  離間方向
【図１】
2020030341.tif 000003
【図２Ａ】
2020030341.tif 000004
【図２Ｂ】
2020030341.tif 000005
【図３】
2020030341.tif 000006
【図４】
2020030341.tif 000007
【図５】
2020030341.tif 000008
【図６】
2020030341.tif 000009
【図７Ａ】
2020030341.tif 000010
【図７Ｂ】
2020030341.tif 000011
【図８Ａ】
2020030341.tif 000012
【図８Ｂ】
2020030341.tif 000013